(57)【要約】  【課題】  本発明の目的は、例え波付樹脂管がその長手方向に伸ばされていて、その外径が小さくなっている波付樹脂管を切断することになっても、この波付樹脂管の内側に収納されている、例えば給水管や給湯管等に傷を付ける危険性の少ない波付樹脂管カッターを提供することにある。  【解決手段】  本発明の波付樹脂管カッターは、波付樹脂管１５が案内される波付樹脂管案内部２１を有するカッター本体２２と、波付樹脂管案内部２１に案内された波付樹脂管１５の隣接する２つの谷部に嵌る非弾性体からなり波付樹脂管１５より硬質の突起部２０ａ、２０ｂを有する波付樹脂管山部挟持部２０と、波付樹脂管山部挟持部２０の突起部２０ａ、２０ｂの中間に設けられ波付樹脂管案内部２１内へ刃先が突入する状態に設けられているカッター刃２４とを有する。  【選択図】  図１
2006088241.tif 000002
【特許請求の範囲】
【請求項１】
波付樹脂管が案内される波付樹脂管案内部を有するカッター本体と、前記波付樹脂管案内部に案内された波付樹脂管の隣接する２つの谷部にそれぞれ嵌る非弾性体からなり前記波付樹脂管より硬質の２つの突起部を有する波付樹脂管山部挟持部と、該波付樹脂管山部挟持部の前記２つの突起部の中間に設けられ前記波付樹脂管案内部内へ刃先が突入する状態に設けられているカッター刃とを有することを特徴とする波付樹脂管カッター。
【請求項２】
波付樹脂管が案内される波付樹脂管案内部を有するカッター本体と、該カッター本体の前記波付樹脂管案内部を挟む位置の一方に設けられ前記波付樹脂管案内部に案内された波付樹脂管の隣接する２つの谷部にそれぞれ嵌る非弾性体からなり前記波付樹脂管より硬質の２つの突起部を有する波付樹脂管山部挟持部と、該波付樹脂管山部挟持部の前記２つの突起部の中間に設けられ前記波付樹脂管案内部内へ刃先が突入する状態に設けられているカッター刃と、前記カッター本体の前記波付樹脂管案内部を挟む位置の他方に設けられたカッター操作部とを有することを特徴とする波付樹脂管カッター。
【請求項３】
前記カッター操作部は指挿入穴からなることを特徴とする請求項２記載の波付樹脂管カッター。
【請求項４】
前記指挿入穴の中心は、前記波付樹脂管案内部に案内された波付樹脂管の中心と、前記波付樹脂管案内部に案内されている波付樹脂管の前記波付樹脂管案内部との最終接触点の一つとを通る直線を挟んで前記波付樹脂管案内部の奥部と反対側にあることを特徴とする請求項３記載の波付樹脂管カッター。
【請求項５】
前記波付樹脂管山部挟持部と該波付樹脂管山部挟持部の前記２つの突起部の中間に設けられたカッター刃とは一体化され外径の異なる波付樹脂管に対してはカッター本体に対して交換可能であり、かつ前記波付樹脂管案内部は前記波付樹脂管山部挟持部と対向する部分が前記波付樹脂管山部挟持部に対して進退可能であって、外径の異なる波付樹脂管を案内することができるようになっていることを特徴とする請求項１記載の波付樹脂管カッター。
【発明の詳細な説明】
【技術分野】
【０００１】
本発明は、波付樹脂管を切断するために用いられる波付樹脂管カッターに関するものである。
【背景技術】
【０００２】
従来から、例えば電線等を布設したり、戸建住宅や集合住宅内に給水給湯用配管を布設したりする場合、電線や給水給湯管等の保護のために、これら電線や給水給湯管の外側にポリエチレン等からなる波付樹脂管を被せることが頻繁に行われている。
このように給水給湯管や電線等に被覆された波付樹脂管を所定位置で切断する場合には、内部の電線や給水給湯管を傷付けないように、内側の電線や給水給湯管との距離が一番大きい波付樹脂管の山部にカッターの刃を入れるようにして切断している。
【０００３】
この種の波付樹脂管カッターとして、例えば特許文献１に記載のものがある。
この波付樹脂管カッターは、図６、図７が示すように、送りねじ７により進退動できる刃物台８を備えたカッター本体１の一端の受け部２に、この受け部２にセットされる２点鎖線で示す波付樹脂管１５の隣接する２つの溝、すなわち谷部に入るＵ字型をした受け板４を有している。因みにこの受け板４は弾性を有している。
また刃物台８には、前記Ｕ字型をした受け板４に対応して、同じく波付樹脂管１５の隣接する２つの谷部にその先端部が挿入される２枚の弾性ガイド板１０と、この弾性ガイド板１０の中央にカッター刃１１が装着されている。
【０００４】
このようにしてなる波付樹脂管カッターにより波付樹脂管１５をその山部で切断する場合には、図６が示すように波付樹脂管カッターの受け部２に切断する波付樹脂管１５をセットし、送りねじ７のノブ６を回して刃物台８を波付樹脂管１５側に送っていく。すると図７が示すように、２枚の弾性ガイド板１０の先端１３が、その弾性により撓みながら波付樹脂管１５の隣接する谷部１６、１６に入って、これら隣接する谷部１６、１６に挟まれた波付樹脂管１５の被切断山部１７を両側から挟むため、弾性ガイド板１０の中間に位置するカッター刃１１で被切断山部１７をその中央で切断できるようになっている。
尚、受け部２側では、Ｕ字型をした受け板４が、前記弾性ガイド板１０と共働して、波付樹脂管１５の切断される被切断山部１７の両側の谷部１６、１６にその先端が挿入されていて波付樹脂管１５を保持している。
図６で符号１８は波付樹脂管１５内に挿入されている、例えば給湯管を示している。
【０００５】
このようにしてなる特許文献１に示されている波付樹脂管カッターを用いれば、切断される波付樹脂管１５の波のピッチ、具体的には隣接する谷部１６、１６間の長さが多少変化したとしても、あるいはまた波付樹脂管１５のサイズが異なって、谷部１６、１６間の長さが異なる場合でも、前述したＵ字型をした弾性を有する受け板４と、２枚の弾性ガイド板１０とが、その弾性を利用してこれから切断しようとする波付樹脂管１５の山部１７の両側の谷部１６、１６に撓みながら進入する。その結果、２枚の弾性ガイド板１０の中央に挟まれているカッター刃１１が波付樹脂管１５の被切断山部１７の中央を確実に捉え、切断できる、といっている。
【０００６】
ところで波付樹脂管１５の波のピッチが変化する場合とは、例えばこの波付樹脂管１５がポリエチレン等からなる比較的伸び易く、かつ塑性変形し易い素材で出来ていることから、布設時強い力で引っ張られたりすると波付樹脂管１５がその長手方向に伸びてしまって、その結果、波付樹脂管１５の波ピッチが長くなったりする場合等をいう。
【０００７】
【特許文献１】特開平１０−２７７８３５号公報
【発明の開示】
【発明が解決しようとする課題】
【０００８】
図６、図７で示す波付樹脂管カッターによれば、波付樹脂管１５の内側に挿入されている、例えば給湯管１８を傷付けないように、給湯管１８との間の隙間が一番大きい、すなわち給湯管１８から一番距離のある波付樹脂管１５の被切断山部１７の中央で波付樹脂管１５を確実に切断することができる。
しかしながら、いま仮に波付樹脂管１５が布設時引っ張られて伸び、その結果、波のピッチが伸び、その分外径が小さくなっている場合を考えてみると、特許文献１記載の波付樹脂管カッターは、前述したようにＵ字型をした弾性を有する受け板４と、２枚の弾性ガイド板１０とを有するが故に、この伸びた波ピッチにそのまま対応して、その外径が縮小した被切断山部１７をその状態のまま、その中央で切断してしまう。
【０００９】
このように外径が縮小した状態のまま波付樹脂管１５の被切断山部１７をその中央で切断すると、当然、波付樹脂管１５内に収納されている、例えば給湯管１８との隙間が小さくなっている状態のまま波付樹脂管１５を切断することになり、場合によっては内側の給湯管１８にカッター刃１１により傷を付けてしまう危険性がある。
【００１０】
そこで本発明の目的は、例え波付樹脂管がその長手方向に伸ばされていて、その外径が小さくなっている波付樹脂管を切断することになっても、この波付樹脂管の内側に収納されている、例えば給水管や給湯管等に傷を付ける危険性の少ない波付樹脂管カッターを提供することにある。
【課題を解決するための手段】
【００１１】
前記目的を達成すべく本発明の請求項１記載の波付樹脂管カッターは、波付樹脂管が案内される波付樹脂管案内部を有するカッター本体と、前記波付樹脂管案内部に案内された波付樹脂管の隣接する２つの谷部にそれぞれ嵌る非弾性体からなり前記波付樹脂管より硬質の２つの突起部を有する波付樹脂管山部挟持部と、該波付樹脂管山部挟持部の前記２つの突起部の中間に設けられ前記波付樹脂管案内部内へ刃先が突入する状態に設けられているカッター刃とを有することを特徴とするものである。
【００１２】
このようにしてなる請求項１記載の波付樹脂管カッターによれば、前記波付樹脂管案内部に案内された波付樹脂管の隣接する２つの谷部にそれぞれ嵌る非弾性体からなり前記波付樹脂管より硬質の２つの突起部を有する波付樹脂管山部挟持部で、例えば布設時に引っ張られて長手方向に伸びてしまった波付樹脂管の形状を元の状態に修正しながら前記波付樹脂管の被切断山部中央をカッター刃で切断することができる。
換言すると、被切断山部において波付樹脂管の形状を元に戻して、波付樹脂管の被切断山部における山部と内側に存在する給水、給湯管等の表面との隙間を本来の隙間に確保した状態で、波付樹脂管を被切断山部の中央で切断できる。よって波付樹脂管内部の給水、給湯管等にカッター刃による傷をより付け難い状態で波付樹脂管の切断を行うことができる。
【００１３】
また本発明の請求項２記載の波付樹脂管カッターは、波付樹脂管が案内される波付樹脂管案内部を有するカッター本体と、該カッター本体の前記波付樹脂管案内部を挟む位置の一方に設けられ前記波付樹脂管案内部に案内された波付樹脂管の隣接する２つの谷部にそれぞれ嵌る非弾性体からなり前記波付樹脂管より硬質の２つの突起部を有する波付樹脂管山部挟持部と、該波付樹脂管山部挟持部の前記２つの突起部の中間に設けられ前記波付樹脂管案内部内へ刃先が突入する状態に設けられているカッター刃と、前記カッター本体の前記波付樹脂管案内部を挟む位置の他方に設けられたカッター操作部とを有することを特徴とする。
【００１４】
このようにしてなる請求項２記載の波付樹脂管カッターによれば、前記請求項１記載の波付樹脂管カッターに加えて、前記カッター本体の前記波付樹脂管案内部を挟む位置の他方にカッター操作部を設けたことにより、請求項１記載の波付樹脂管カッターの効果に加えて、より操作性良く波付樹脂管カッターを取り扱うことができる。
【００１５】
また本発明の請求項３記載の波付樹脂管カッターは、請求項２記載の波付樹脂管カッターにおいて、前記カッター操作部は指挿入穴からなることを特徴とするものである。
このようにしてなる請求項３記載の波付樹脂管カッターによれば、指挿入穴に、例えば人差し指を挿入して、波付樹脂管カッターを波付樹脂管の周りに回転するだけで波付樹脂管を所定の被切断山部中央で切断することができる。
【００１６】
また本発明の請求項４記載の波付樹脂管カッターは、請求項３記載の波付樹脂管カッターにおいて、前記指挿入穴の中心は、前記波付樹脂管案内部に案内された波付樹脂管の中心と、前記波付樹脂管案内部に案内されている波付樹脂管の前記波付樹脂管案内部との最終接触点の一つとを通る直線を挟んで前記波付樹脂管案内部の奥部と反対側にあることを特徴とするものである。
【００１７】
このようにしてなる請求項４記載の波付樹脂管カッターによれば、前記指挿入穴の中心位置が、前記波付樹脂管案内部に案内された波付樹脂管の中心と、前記波付樹脂管案内部に案内されている波付樹脂管の前記波付樹脂管案内部との最終接触点の一つとを通る直線を挟んで前記波付管受け部の奥部と反対側に設けられているため、前記指挿入穴に指を入れてこの波付樹脂管カッターを波付樹脂管案内部に案内されている波付樹脂管の周りに回転した場合、波付樹脂管が波付樹脂管案内部から外れ難くなり、より容易に波付樹脂管を切断することができる。
【００１８】
さらにまた本発明の請求項５記載の波付樹脂管カッターは、請求項１記載の波付樹脂管カッターにおいて、前記波付樹脂管山部挟持部と該波付樹脂管山部挟持部の前記２つの突起部の中間に設けられたカッター刃とは一体化され外径の異なる波付樹脂管に対してはカッター本体に対して交換可能であり、かつ前記波付樹脂管案内部は前記波付樹脂管山部挟持部と対向する部分が前記波付樹脂管山部挟持部に対して進退可能であって、外径の異なる波付樹脂管を案内することができるようになっていることを特徴とするものである。
【００１９】
このようにしてなる請求項５記載の波付樹脂管カッターによれば、前記波付樹脂管山部挟持部と該波付樹脂管山部挟持部の前記２つの突起部の中間に設けられたカッター刃とは一体化されしかもカッター本体に対して装脱着可能、すなわち交換可能であり、他方前記波付樹脂管案内部は前記波付樹脂管山部挟持部と対向する部分が前記波付樹脂管山部挟持部に対して進退可能になっているため、予め外径の異なる波付樹脂管の谷部のピッチに合わせて波付樹脂管山部挟持部とカッター刃を一体化したカートリッジを幾種類か用意しておけば、切断時波付樹脂管のサイズに合わせたカートリッジをカッター本体に装着し、前記波付樹脂管案内部の前記波付樹脂管山部挟持部と対向する部分を、案内する波付樹脂管の外径に合わせて進退させて波付樹脂管案内部に波付樹脂管を保持すれば、サイズの異なる波付樹脂管であっても、その波付樹脂管の被切断山部の形状を引っ張って伸ばされる以前の状態に修正しながら、その被切断山部中央で切断することができる。
【発明の効果】
【００２０】
以上のように本発明によれば、仮に波付樹脂管がその長手方向に伸ばされていて、その外径が小さくなっている波付樹脂管を切断することになっても、この波付樹脂管の内側に収納されている、例えば給水管や給湯管等に傷を付ける危険性の少ない波付樹脂管カッターを提供することができる。
【発明を実施するための最良の形態】
【００２１】
以下に図を用いて本発明の波付樹脂管カッターの実施例を詳細に説明する。
因みに、図１は本発明の波付樹脂管カッターの一実施例を示す平面図、図２はその側面図である。
【００２２】
図１、図２が示すように本発明の波付樹脂管カッターは、図２において２点鎖線で示す波付樹脂管１５を、この波付樹脂管カッターに案内する略Ｕ字状の波付樹脂管案内部２１を有するカッター本体２２を有しており、さらにこのカッター本体２２の波付樹脂管案内部２１を挟む位置の一方には、波付樹脂管１５の背面側の谷部に嵌る非弾性体からなり波付樹脂管１５よりも硬質の突起部２０ａと、この突起部２０ａが嵌る谷部の隣りの谷部に嵌る非弾性体からなり、同じく波付樹脂管１５よりも硬質の突起部２０ｂとを有する波付樹脂管山部挟持部２０が設けられている。
さらにこれら２つの突起部２０ａと突起部２０ｂの中間には、波付樹脂管案内部２１内へその刃先が突入する状態でカッター刃２４が設けられている。そしてカッター本体２２の波付樹脂管案内部２１を挟む位置の他方には指挿入穴２５が設けられている。
【００２３】
因みに、本実施例では波付樹脂管カッターは大部分が非弾性体で硬質の樹脂であるＡＢＳ樹脂からなっていて、それ故、切断される波付樹脂管１５の谷部に嵌る波付樹脂管山部挟持部２０の突起部２０ａと突起部２０ｂもＡＢＳ樹脂製であるから、両者とも非弾性でしかも波付樹脂管１５よりも硬いという特性を有している。
当然のことながら前述したＡＢＳ樹脂は、波付樹脂管１５の一般的材料であるポリエチレン樹脂よりも硬い材料である。もちろん波付樹脂管１５よりも相対的に硬く、非弾性体であれば、ＡＢＳ樹脂に限定されず、他の樹脂あるいは他の材料であってもよい。
さらにこれら波付樹脂管１５の谷部に嵌る波付樹脂管山部挟持部２０の突起部２０ａと突起部２０ｂの断面形状は、波付樹脂管１５の谷部に嵌るように波付樹脂管１５の谷部の断面形状にほぼ近似した形状に限定されるものではないが、谷部の断面形状にほぼ近似した形状を有している方が波付樹脂管１５の被切断山部を両側から確実に挟み込むことができ好ましい。
【００２４】
図２において符号２６は、カッター刃２４をカッター本体２２に固定するためのＡＢＳ樹脂製のカッター刃押え板で、符号２７はこのカッター刃押え板２６をカッター本体２２に固定するためのボルトを示している。
ここでカッター刃押え板２６の一例を図３に示す。図３（ａ）はカッター刃押え板２６の平面図、図３（ｂ）はその右側面図、そして図３（ｃ）は裏側からみた平面図である。
図３が示すように、カッター刃押え板２６の側面、より具体的には、波付樹脂管案内部２１側に臨む側の側面には、波付樹脂管山部挟持部２０の一方の突起部２０ｂが設けられている。
また図３（ｃ）が示すように、カッター刃押え板２６の裏側には、カッター刃２４をその先端が波付樹脂管案内部２１に突入するように収納するカッター刃収納部２４Ａが設けられていて、このカッター刃収納部２４Ａに収納されたカッター刃２４をカッター本体２２とで挟み込んで、ボルト孔２８にボルト２７を通して締め込むことでカッター刃２４をカッター本体２２に固定している。
図３で符号２９は、カッター本体２２にカッター刃押え板２６を固定する際に、カッター刃押え板２６をカッター本体２２に対して位置決めするための位置決め突起である。因みに、カッター本体２２側にはこの位置決め突起２９が嵌合する位置決め穴が穿たれている。
【００２５】
この実施例では波付樹脂管山部挟持部２０の突起部２０ｂは、カッター刃押え板２６の波付樹脂管案内部２１を臨む側面に、前述したカッター本体２２の波付樹脂管案内部２１の内面に設けられている突起部２０ａと並行になるように形成されているが、この突起部２０ｂを突起部２０ａと一緒にカッター本体２２に直接設ける等、他の方法で突起部２０ｂ設けてもよいことはいうまでもない。
【００２６】
ところで波付樹脂管１５をこの波付樹脂管カッターで切断する場合に、例えば利き手の人差し指を入れて、この波付樹脂管カッターを波付樹脂管１５の周りに回転せしめるために用いる指挿入穴２５、すなわちこの波付樹脂管カッターの操作部は、この指挿入穴２５の中心３０の位置が、波付樹脂管案内部２１に案内される波付樹脂管１５の中心３１と、波付樹脂管案内部２１に案内されている波付樹脂管１５の波付樹脂管案内部２１との最終接触点３２とを通る直線Ａを挟んで、波付樹脂管案内部２１の奥部と反対側になるように、カッター本体２２に設けられている。
ここで波付樹脂管案内部２１の奥部とは、図２における波付樹脂管案内部２１の直線Ａより下側の部分をいう。
【００２７】
また波付樹脂管案内部２１に案内されている波付樹脂管１５の波付樹脂管案内部２１との最終接触点とは、図２が示すようにその奥部が、切断される波付樹脂管１５の外形及び外径に合わせて下半分が半円形状に形成されている波付樹脂管案内部２１に、波付樹脂管１５を２点鎖線が示すようにセットした際、波付樹脂管案内部２１の半円形状部分に接触している波付樹脂管１５が、波付樹脂管案内部２１から最初に離れる点、すなわち符号３２の点を意味している。
尚、この最終接触点３２は波付樹脂管案内部２１にセットされた波付樹脂管１５の中心３１を挟んで両側に１点ずつ計２点存在し、波付樹脂管１５の中心３１と２つの最終接触点３２は理論的には同一直線上に乗ることになるが、波付樹脂管案内部２１の製作精度等により、３点が同一直線上に厳密には乗らない場合も考えられる。そこでここではそのような製作誤差も含め、波付樹脂管１５の中心３１と、波付樹脂管１５の波付樹脂管案内部２１との最終接触点３２、３２いずれか一方とを通る直線を直線Ａと規定した。
より簡単にいえば、切断される波付樹脂管１５の外形及び外径に合わせてその奥部が半円形状に形成され、全体が略Ｕ字状に形成されている波付樹脂管案内部２１の、前記半円形部分の弦、すなわち波付樹脂管１５の直径にほぼ等しい長さの弦を延長した線を直線Ａということもできる。
【００２８】
このように指挿入穴２５の中心３０を、カッター本体２２におけるカッター刃２４が設けられている側と反対側であって、かつ直線Ａに対して波付樹脂管案内部２１の奥部、すなわち図２において、直線Ａより下側に位置する部分と反対側、すなわち図２における右上側に設けた理由は、このように指挿入穴２５を位置決めすると、波付樹脂管案内部２１に波付樹脂管１５をセットした後、指挿入穴２５に利き手の人差し指を差し込んで、波付樹脂管カッターを波付樹脂管１５の周りに回転させた際、この回転が極めて容易に行えるからである。換言すると、利き手の人差し指１本で本発明の波付樹脂管カッターを操作することができるからである。
【００２９】
ところで、もし指挿入穴２５の中心３０が、波付樹脂管案内部２１の奥部と直線Ａに対して同じ側、すなわち図２において直線Ａの下側にあると、指挿入穴２５に人差し指を入れてこの波付樹脂管カッターを波付樹脂管１５の周りに回転する際、十分注意していないと、波付樹脂管カッターが波付樹脂管１５から外れてしまう可能性がある。
そこで本発明者は、種々検討した結果、指挿入穴２５の中心３０を前述した直線Ａを挟んで波付樹脂管案内部２１の奥部と反対側の、図２が示す位置に設けることでこの問題を解決した。
その結果、波付樹脂管１５の切断位置に本発明の波付樹脂管カッターをセットしたら、指挿入穴２５に人差し指を入れて、波付樹脂管カッターを波付樹脂管１５の周りに回転するだけで、すなわち人差し指１本だけで、波付樹脂管１５を被切断山部の中央で簡単に切断することができる。
【００３０】
このようにしてなる本発明の波付樹脂管カッターにより、波付樹脂管１５を切断する手順を以下に説明する。
ところで図１〜図３に示す波付樹脂管カッターは、あるサイズの波付樹脂管１５専用のカッターであって、波付樹脂管１５の外径に応じて波付樹脂管案内部２１の大きさを調整するタイプのものではない。それ故、このタイプの波付樹脂管カッターは、波付樹脂管１５のサイズに応じて専用の波付樹脂管カッターを用意する必要がある。
尚、通常の住宅内配管用に波付樹脂管は、その外径が約２２．５ｍｍであるものが大部分で、極論するとこのサイズ専用の波付樹脂管カッターを持っていればほとんどの配管作業に支障を来たすことはない。
【００３１】
図１〜図３に示す波付樹脂管カッターで波付樹脂管１５を切断する場合、まず切断しようとする波付樹脂管１５のサイズに合わせた波付樹脂管カッターを用意する。用意した波付樹脂管カッターの波付樹脂管案内部２１に切断しようとする波付樹脂管１５をセットする。この際、波付樹脂管案内部２１に設けられている波付樹脂管山部挟持部２０の２つの突起部２０ａ、２０ｂを波付樹脂管１５の被切断山部の両隣りの谷部に嵌め込むようにセットする。
より詳細には、波付樹脂管１５の被切断山部がカッター刃２４の位置に合致するように、波付樹脂管案内部２１に波付樹脂管１５を押し込んで、この被切断山部の両側の谷部に波付樹脂管山部挟持部２０の突起部２０ａ、２０ｂとを嵌める。
【００３２】
このように波付樹脂管１５を波付樹脂管カッターの波付管受け部２１に押し込むと、非弾性体からなり波付樹脂管１５より硬質の波付樹脂管山部挟持部２０の突起部２０ａ、２０ｂが波付樹脂管１５の隣接する谷部に嵌り込み、これら突起部２０ａ、２０ｂが共に非弾性体でかつ波付樹脂管１５よりも硬質であるが故に、自身は変形することなく、より柔らかい波付樹脂管１５の被切断山部を両側から挟み込む。
この際、もし波付樹脂管１５が、例えば布設時にその長手方向に伸ばされて、仮に外径が縮小して波のピッチが伸ばされていたとしても、前述したようにこの被切断山部をその両側から非弾性体からなり波付樹脂管１５よりも硬質の波付樹脂管山部挟持部２０の突起部２０ａ、２０ｂとで挟み付けることで波のピッチが、伸ばされる以前の状態、すなわち元の状態に戻される。同時に被切断山部の外径も元の状態に強制的に戻される。
【００３３】
それ故、波付樹脂管１５と、この波付樹脂管１５の内側に収納されている、例えば給湯管１８等との隙間を当初予定していた値、すなわち波付樹脂管１５が伸ばされる以前の値に戻した状態で波付樹脂管１５の被切断山部をその中央で切断することができるようになる。
よって波付樹脂管１５内部に収納されている給湯管１８等をカッター刃で傷付ける危険性を少なくした状態で、波付樹脂管１５の被切断山部を切断することが可能になる。
【００３４】
ところで図１における波付樹脂管カッターの波付樹脂管案内部２１の幅Ｗを、この波付樹脂管案内部２１にセットした波付樹脂管１５が切断の際左右にふらつかないように、すなわち安定して波付樹脂管案内部２１に保持できるように、波付樹脂管１５の被切断山部を中心に、片側２〜３山程度、波付樹脂管１５の山部を保持できるような長さにしておくと、切断作業を容易に行えて好ましい。
【００３５】
また前記実施例では、波付樹脂管山部挟持部２０の突起部２０ａは、波付樹脂管案内部２１にセットされた波付樹脂管１５の背面全体に嵌るように、波付樹脂管案内部２１の内面ほぼ全周に設けられているが、より簡単な構造としては、例えば波付樹脂管山部挟持部２０の突起部２０ｂと同じ程度の長さ分、突起部２０ｂと並行に設けられていれば足りる。但し、前記実施例のように、波付樹脂管１５の背面全体にわたってその谷部に嵌るように設けられていると、波付樹脂管案内部２１にセットされた波付樹脂管１５の切断時その姿勢をより安定に保つことができ好適である。
【００３６】
また本発明の波付樹脂管カッターを波付樹脂管１５のあるサイズ専用のカッターとすることで、図１〜図３が示すように全体を極めてコンパクトにすることもできる。
具体的には、給水給湯管用として最も使用頻度の高い外径が約２２．５ｍｍの波付樹脂管１５専用の波付樹脂管カッターにおいては、図２の波付樹脂管案内部２１にセットされた波付樹脂管１５の中心３１に対してその周囲に２．５ｃｍの程度の空間さえあれば、内部に例えば給湯管１８を有する波付樹脂管１５を所望位置で、しかも内部の給湯管１８に傷を付けることなく容易に切断することができる程度に小型化できる。
【００３７】
尚、図２において符号４０は、波付樹脂管１５を波付樹脂管案内部２１にセットした後、この波付樹脂管カッターを波付樹脂管１５の周りに回転する場合の回転方向を示すマークである。このように波付樹脂管カッターの回転方向を示しておくと、狭い作業場所でこの波付樹脂管カッターを使用する際、回転方向を考える必要がなく、便利である。
【００３８】
前述したように、図１〜図３はある決まった外径、すなわちサイズの波付樹脂管１５専用の波付樹脂管カッターであるが、例えば図４に示すように、突起部２０ａ、２０ｂを有する波付樹脂管山部挟持部２０と、この波付樹脂管山部挟持部２０の突起部２０ａ、２０ｂの中間に設けられるカッター刃２４とを波付樹脂管１５のサイズ毎に一体化し、これをカートリッジ２３と成し、カッター本体２２に対して装脱着可能、すなわち交換可能にしておき、一方、波付樹脂管案内部２１の波付樹脂管山部挟持部２０と対向する部分を、図５が示すように波付樹脂管山部挟持部２０に対して進退可能にしておけば、外径の異なる波付樹脂管１５の切断を１つの波付樹脂管カッターで切断することもできる。
【００３９】
すなわち図４、図５が示すように、外径の異なる波付樹脂管１５毎に、波付樹脂管山部挟持部２０の突起部２０ａ、２０ｂの形状や間隔を調整した前記カートリッジ２３を用意しておき、切断する波付樹脂管１５の外径（サイズ）に応じて必要なカートリッジ２３を図４、図５が示すように波付樹脂管案内部２１を挟む位置の一方に、例えばネジ４１でカッター本体２２に固定する。
しかる後、波付樹脂管案内部２１に切断する波付樹脂管１５をセットし、カートリッジ２３と波付樹脂管案内部２１を挟んで対向する位置に、このカートリッジ２３、すなわち波付樹脂管山部挟持部２０に対して進退可能に設けられていて、その先端が略Ｖ字状をした波付樹脂管案内保持部２１ａを、波付樹脂管山部挟持部２０側に向けて進め、波付樹脂管１５を波付樹脂管山部挟持部２０との間で挟み込んだ位置で固定ネジ４２締め込んでカッター本体２２に対して固定する。
【００４０】
ここで波付樹脂管案内保持部２１ａは固定ネジ４２と連結されていて、カッター本体２２に設けられている長穴４３の長さ分矢印方向に移動可能になっている。
すなわち、波付樹脂管案内保持部２１ａを移動する場合には、固定ネジ４２を緩め、しかる後固定ネジ４２の先端を摘んで必要距離移動し位置決めが完了したら、その位置で固定ネジ４２を締めてカッター本体２２に波付樹脂管案内保持部２１ａを固定する。
このようにすれば、異なる外径の波付樹脂管１５をその被切断山部中央で切断する場合であっても、その波付樹脂管１５の被切断山部の形状を引っ張って伸ばされる以前の状態に修正しながら切断することができる。
【００４１】
また図５が示す進退手段とは別に、図５が示す波付樹脂管案内保持部２１ａを、例えば従来例である図６が示す送りネジ７の機構を用いてカートリッジ２３、すなわち波付樹脂管山部挟持部２０に対して進退可能にすることもできる。
いずれにせよ、波付樹脂管案内部２１の波付樹脂管山部挟持部２０に対向する部分を、波付樹脂管山部挟持部２０に対して進退可能にしておけば、前述したカートリッジ２３と組み合わせることで、異なる外径の波付樹脂管１５でも、所望する被切断山部中央で、その形状を修正しながら、内部の給湯管等に傷を付ける恐れを少なくした状態で切断可能である。
【００４２】
以上述べたように、本発明によれば、仮に波付樹脂管がその長手方向に伸ばされていて、その外径が小さくなっている波付樹脂管を切断することになっても、この波付樹脂管の内側に収納されている、例えば給水管や給湯管等に傷を付ける危険性の少ない波付樹脂管カッターを提供することができる。
【図面の簡単な説明】
【００４３】
【図１】本発明の波付樹脂管カッターの一実施例を示す平面図である。
【図２】図１が示す本発明の波付樹脂管カッターの側面図である。
【図３】図３（ａ）は本発明の波付樹脂管カッターに使用するカッター刃押え板の平面図、図３（ｂ）はその右側面図、図３（ｃ）は裏側平面図である。
【図４】本発明の別の実施例を示す波付樹脂管カッターの一部平面図である。
【図５】本発明の別の実施例を示す波付樹脂管カッターの側面図である。
【図６】従来の波付樹脂管カッターの側面図である。
【図７】図６が示す従来の波付樹脂管カッターで波付樹脂管を切断する状態を示す断面図である。
【符号の説明】
【００４４】
１５  波付樹脂管
２０  波付樹脂管山部挟持部
２０ａ、２０ｂ  突起部
２１  波付樹脂管案内部
２１ａ  波付樹脂管案内保持部
２２  カッター本体
２３  カートリッジ
２４  カッター刃
２５  指挿入穴
２６  カッター刃押え板
【図１】
2006088241.tif 000003
【図２】
2006088241.tif 000004
【図３】
2006088241.tif 000005
【図４】
2006088241.tif 000006
【図５】
2006088241.tif 000007
【図６】
2006088241.tif 000008
【図７】
2006088241.tif 000009